(57)【要約】      （修正有）【課題】レンズバレルが確実に保持可能なレンズ駆動装置を提供する。【解決手段】レンズ駆動装置は、レンズが設けられたレンズバレル１１を保持可能な筒状のレンズ保持部材１２と、レンズ保持部材１２を光軸方向ＪＤへ移動可能に支持する支持部材６と、レンズ保持部材１２を光軸方向ＪＤに沿って上下に移動させる駆動機構Ｍ３と、を備え、レンズバレル１１が挿通されるレンズ保持部材１２の筒部１２ｓの内周面１２ｑには、レンズバレル１１との隙間が一定の位置決め部５２と、位置決め部５２の上側に位置し上方に向かうにしたがって位置決め部５２よりもレンズバレル１１との隙間が大きくなる傾斜部９２と、が設けられ、少なくとも傾斜部９２とレンズバレル１１との間に接着剤が充填され、接着剤によってレンズバレル１１がレンズ保持部材１２に固定されていることを特徴とする。【選択図】図８
2018139006.tif 000002
【特許請求の範囲】
【請求項１】
レンズが設けられたレンズバレルを保持可能な筒状のレンズ保持部材と、
該レンズ保持部材を光軸方向へ移動可能に支持する支持部材と、
前記レンズ保持部材を前記光軸方向に沿って上下に移動させる駆動機構と、を備えたレンズ駆動装置において、
前記レンズバレルが挿通される前記レンズ保持部材の筒部の内周面には、前記レンズバレルとの隙間が一定の位置決め部と、前記位置決め部の上側に位置し上方に向かうにしたがって前記位置決め部よりも前記レンズバレルとの隙間が大きくなる傾斜部と、が設けられ、
少なくとも前記傾斜部と前記レンズバレルとの間に接着剤が充填され、当該接着剤によって前記レンズバレルが前記レンズ保持部材に固定されていることを特徴とするレンズ駆動装置。
【請求項２】
前記位置決め部と前記傾斜部との境界部が前記筒部の前記光軸方向における中間位置よりも下側に位置していることを特徴とする請求項１に記載のレンズ駆動装置。
【請求項３】
前記傾斜部は、前記光軸方向に沿った直線とのなす角である傾斜角が異なる第１傾斜部と第２傾斜部とを有し、
前記第２傾斜部の前記傾斜角が前記第１傾斜部の前記傾斜角より大きく、
前記第２傾斜部は、前記第１傾斜部より前記レンズ保持部材の上方側に配設され、
前記第２傾斜部及び前記第１傾斜部と前記レンズバレルとの間に前記接着剤が充填されていることを特徴とする請求項１または請求項２に記載のレンズ駆動装置。
【請求項４】
前記レンズバレルの下部側には、前記光軸方向と交差する方向に向けて外周から突出した突部が設けられ、
当該レンズバレルが前記レンズ保持部材の前記筒部に下方側から挿通されて、前記突部が前記筒部の下端部と対向して配置されていることを特徴とする請求項１ないし請求項３のいずれかに記載のレンズ駆動装置。
【請求項５】
前記レンズバレルの外周面に、前記接着剤を収容可能な溝部が形成されていることを特徴とする請求項１ないし請求項４のいずれかに記載のレンズ駆動装置。
【発明の詳細な説明】
【技術分野】
【０００１】
本発明は、例えばカメラ付き携帯機器に搭載されるレンズ駆動装置に関する。
【背景技術】
【０００２】
近年、携帯電話に代表される携帯機器にカメラ機構が搭載されているのは一般的となってきた。そして、この小型の携帯機器に搭載されるカメラ機構の主要部品であるレンズ駆動装置には、小型化の要求に加え、精度良くレンズバレル（鏡筒）を駆動させるという要求が高まってきた。この２つの要求を満たすべきレンズ駆動装置として、レンズバレル（鏡筒）を保持するレンズホルダ（レンズ保持部材）を駆動するための磁気回路をレンズホルダの四方に設けたものが良く知られている。
【０００３】
また、上述したレンズ駆動装置には、レンズバレルをレンズホルダに保持させる方法として、双方をねじで留めるネジタイプと接着剤を用いて固定する接着タイプとがあり、特に、接着タイプでは、ネジ山がないので、レンズバレルを大きくできてレンズ径を大きくできる、レンズバレル及びレンズホルダを作製する金型を簡易な形状にできる、等のメリットを有している。
【０００４】
このような接着タイプのレンズ駆動装置として、特許文献１（従来例）では、図１４に示すようなレンズ駆動装置９００が提案されている。図１４は、従来例のレンズ駆動装置９００が用いられたカメラモジュール９９９の縦断面図である。
【０００５】
図１４に示すレンズ駆動装置９００は、複数の撮像レンズ９０６を保持するレンズバレル９０７を光軸方向に移動させる可動部と、撮像レンズ９０６の駆動時に位置が変動しない固定部と、から構成され、可動部が固定部の内部に収容されている。また、レンズ駆動装置９００は、図１４に示すように、可動部として、レンズバレル９０７を保持するレンズホルダ９０８と、レンズホルダ９０８の外周端部（フランジ部）に固定されているコイル９１０と、を有している。また、レンズ駆動装置９００は、図１４に示すように、固定部として、底部を構成しているベース９１５と、ベース９１５上に固定され側面部を構成しているヨーク９１１と、ヨーク９１１の内側面に配置されている永久磁石９１２と、ヨーク９１１の上方に配置され上部（天面）を構成しているカバー９１４と、を有している。そして、この接着タイプのレンズ駆動装置９００は、レンズバレル９０７とレンズホルダ９０８との固定には、熱硬化型のＵＶ接着剤、または、嫌気性のＵＶ接着剤を好適に用いており、レンズホルダ９０８とレンズバレル９０７との隙間に接着剤を入り込ませるとともに、レンズホルダ９０８とレンズバレル９０７表面に盛り上がったフィレット（接着剤）９２４を形成している。
【先行技術文献】
【特許文献】
【０００６】
【特許文献１】特開２０１０−１３４４０９号公報
【発明の概要】
【発明が解決しようとする課題】
【０００７】
しかしながら、従来例では、レンズバレル９０７とレンズホルダ９０８との隙間が、一定で、しかも狭いので（図１４では表記できていない程狭い）、レンズバレル９０７とレンズホルダ９０８間の接着強度が弱くなっており、落下等で強い衝撃がレンズ駆動装置９００に加わった場合に、レンズバレル９０７が外れる虞があるという課題があった。
【０００８】
本発明は、上述した課題を解決するもので、レンズバレルが確実に保持可能なレンズ駆動装置を提供することを目的とする。
【課題を解決するための手段】
【０００９】
この課題を解決するために、本発明のレンズ駆動装置は、レンズが設けられたレンズバレルを保持可能な筒状のレンズ保持部材と、該レンズ保持部材を光軸方向へ移動可能に支持する支持部材と、前記レンズ保持部材を前記光軸方向に沿って上下に移動させる駆動機構と、を備えたレンズ駆動装置において、前記レンズバレルが挿通される前記レンズ保持部材の筒部の内周面には、前記レンズバレルとの隙間が一定の位置決め部と、前記位置決め部の上側に位置し上方に向かうにしたがって前記位置決め部よりも前記レンズバレルとの隙間が大きくなる傾斜部と、が設けられ、少なくとも前記傾斜部と前記レンズバレルとの間に接着剤が充填され、当該接着剤によって前記レンズバレルが前記レンズ保持部材に固定されていることを特徴としている。
【００１０】
これによれば、本発明のレンズ駆動装置は、レンズ保持部材とレンズバレルとの間に確実にかつ充分に接着剤を充填させることができる。このため、レンズ保持部材とレンズバレル間の接着強度を高めることができる。このことにより、落下等で強い衝撃がレンズ駆動装置に加わった場合であっても、レンズバレルを確実に保持することができる。
【００１１】
また、本発明のレンズ駆動装置は、前記位置決め部と前記傾斜部との境界部が前記筒部の前記光軸方向における中間位置よりも下側に位置していることを特徴としている。
【００１２】
これによれば、傾斜部とレンズバレルとで形成される接着剤の充填領域をより多く確保することができる。このことにより、レンズ保持部材とレンズバレル間の接着強度をより高めることができ、落下等で強い衝撃がレンズ駆動装置に加わった場合であっても、レンズバレルをより確実に保持することができる。
【００１３】
また、本発明のレンズ駆動装置は、前記傾斜部が前記光軸方向に沿った直線とのなす角である傾斜角が異なる第１傾斜部と第２傾斜部とを有し、前記第２傾斜部の前記傾斜角が前記第１傾斜部の前記傾斜角より大きく、前記第２傾斜部が前記第１傾斜部より前記レンズ保持部材の上方側に配設され、前記第２傾斜部及び前記第１傾斜部と前記レンズバレルとの間に前記接着剤が充填されていることを特徴としている。
【００１４】
これによれば、傾斜部とレンズバレルとで形成される接着剤の充填領域をより一層多く確保することができるとともに、特に、第２傾斜部側に広がった接着剤層を形成することができる。このため、レンズ保持部材とレンズバレル間の接着強度をより一層高めることができるとともに、特に、接着剤層がくさびとなり、レンズバレルを下方側に抜け難くすることができる。このことにより、落下等で強い衝撃がレンズ駆動装置に加わった場合であっても、レンズバレルをより一層確実に保持することができる。
【００１５】
また、本発明のレンズ駆動装置は、前記レンズバレルの下部側には、前記光軸方向と交差する方向に向けて外周から突出した突部が設けられ、当該レンズバレルが前記レンズ保持部材の前記筒部に下方側から挿通されて、前記突部が前記筒部の下端部と対向して配置されていることを特徴としている。
【００１６】
これによれば、落下等で強い衝撃がレンズバレルの上方側に向けて加わった場合であっても、突部と下端部とが当接可能なので、レンズバレルが上方に外れる可能性を無くすことができる。
【００１７】
また、本発明のレンズ駆動装置は、前記レンズバレルの外周面に、前記接着剤を収容可能な溝部が形成されていることを特徴としている。
【００１８】
これによれば、この溝部に接着剤が充填されるようになり、レンズバレルの外周面とレンズ保持部材の傾斜部とで形成される接着剤の充填領域をより一層多く確保することができる。このことにより、レンズバレルとレンズ保持部材との間の接着強度をより一層高めることができ、落下等で強い衝撃がレンズ駆動装置に加わった場合であっても、レンズバレルをレンズ保持部材により一層確実に保持することができる。
【発明の効果】
【００１９】
本発明のレンズ駆動装置は、レンズ保持部材とレンズバレルとの間に確実にかつ充分に接着剤を充填させることができる。このため、レンズ保持部材とレンズバレル間の接着強度を高めることができる。このことにより、落下等で強い衝撃がレンズ駆動装置に加わった場合であっても、レンズバレルを確実に保持することができる。
【図面の簡単な説明】
【００２０】
【図１】本発明の第１実施形態のレンズ駆動装置を説明する分解斜視図である。
【図２】本発明の第１実施形態のレンズ駆動装置を説明する図であって、図２（ａ）は、斜視図であり、図２（ｂ）は、図２（ａ）に示すＸ１側からみた側面図である。
【図３】本発明の第１実施形態のレンズ駆動装置を説明する図であって、図３（ａ）は、図２に示すＺ１側から見た上面図であり、図３（ｂ）は、図２に示すＺ２側から見た底面図である。
【図４】本発明の第１実施形態に係わるレンズ駆動装置のレンズバレルを説明する図であって、図４（ａ）は、レンズが保持されたレンズバレルの斜視図であり、図４（ｂ）は、図４（ａ）に示すＸ１側から見たレンズバレルの側面図である。
【図５】本発明の第１実施形態のレンズ駆動装置を説明する図であって、図５（ａ）は、図３（ａ）に示すＩＶ−ＩＶ線における断面図であり、図５（ｂ）は、図３（ａ）に示すＶ−Ｖ線における断面図である。
【図６】本発明の第１実施形態に係わるレンズ駆動装置のレンズ保持部材を説明する図であって、図６（ａ）は、図１に示すＺ１側から見たレンズ保持部材の上方斜視図であり、図６（ｂ）は、図１に示すＺ２側から見たレンズ保持部材の下方斜視図である。
【図７】本発明の第１実施形態に係わるレンズ駆動装置のレンズ保持部材を説明する図であって、レンズ保持部材にコイルが巻かれた状態を示した斜視図である。
【図８】本発明の第１実施形態に係わるレンズ駆動装置を説明する図であって、図５（ａ）に示すＰ部分の拡大断面図である。
【図９】本発明の第１実施形態に係わるレンズ駆動装置のヨークを説明する図であって、図９（ａ）は、図１に示すＺ１側から見たヨークの上方斜視図であり、図９（ｂ）は、図１に示すＺ２側から見たヨークの下方斜視図である。
【図１０】本発明の第１実施形態のレンズ駆動装置を説明する図であって、図２（ａ）に示すレンズバレル及びヨークを省略した斜視図である。
【図１１】本発明の第１実施形態に係わるレンズ駆動装置の支持部材を説明する図であって、図１１（ａ）は、支持部材である上側板ばねの上面図であり、図１１（ｂ）は、支持部材である下側板ばねの上面図である。
【図１２】本発明の第１実施形態に係わるレンズ駆動装置の固定機構を説明する図であって、図１２（ａ）は、ベース部材の斜視図であり、図１２（ｂ）は、ベース部材に下側板ばねを組み付けた斜視図である。
【図１３】本発明の第１実施形態に係わるレンズ駆動装置の変形例１を説明するレンズ保持部材の斜視図である。
【図１４】従来例のレンズ駆動装置が用いられたカメラモジュールの縦断面図である。
【発明を実施するための形態】
【００２１】
以下、本発明の実施の形態について図面を参照して説明する。
【００２２】
［第１実施形態］
図１は、本発明の第１実施形態のレンズ駆動装置１０１を説明する分解斜視図である。図２（ａ）は、レンズ駆動装置１０１の斜視図であり、図２（ｂ）は、図２（ａ）に示すＸ１側から見たレンズ駆動装置１０１の側面図である。図３（ａ）は、図２に示すＺ１側から見たレンズ駆動装置１０１の上面図であり、図３（ｂ）は、図２に示すＺ２側から見たレンズ駆動装置１０１の底面図である。
【００２３】
本発明の第１実施形態のレンズ駆動装置１０１は、図２及び図３に示すような直方体形状の外観を呈し、図１に示すように、レンズＲＮＺが設けられたレンズバレル１１と、レンズバレル１１が挿通される筒部１２ｓを有したレンズ保持部材１２と、レンズ保持部材１２を光軸方向ＪＤ（図２に示すＺ方向）に沿って上下に移動させる駆動機構Ｍ３と、レンズ保持部材１２を光軸方向ＪＤへ移動可能に支持する支持部材６（具体的には、後述する上側板ばね１６、下側板ばね２６Ａ及び下側板ばね２６Ｂ）と、を備えて構成される。他に、本発明の第１実施形態のレンズ駆動装置１０１では、支持部材６の一部を固定する固定機構Ｒ８と、外部と電気的に接続するための端子７と、を有している。
【００２４】
また、本発明の第１実施形態のレンズ駆動装置１０１では、駆動機構Ｍ３は、図１に示すように、８角形の環状に巻かれたコイル３３と、矩形状で箱状の外側ケースを兼ねたヨーク３４と、コイル３３の四辺と対向して配設された４つの磁石３５と、を備えて構成される。また、固定機構Ｒ８は、図１に示すように、端子７が埋め込まれたベース部材１８から主に構成されてる。
【００２５】
このレンズ駆動装置１０１は、レンズバレル１１が接着剤によってレンズ保持部材１２に固定されて、図示しない撮像素子を実装した基板上に取り付けられる。そして、レンズ駆動装置１０１は、基板からの電源よりコイル３３に通電されて、駆動機構Ｍ３で生じる電磁力により、撮像素子の上方に配置されるレンズ保持部材１２をレンズＲＮＺの光軸方向ＪＤ（図２に示すＺ方向）に沿って移動させるものである。つまり、レンズ駆動装置１０１は、撮像素子に対して、レンズバレル１１に保持されたレンズＲＮＺを離れる方向に移動させてマクロ撮影を可能にし、レンズバレル１１に保持されたレンズＲＮＺを近づける方向に移動させて無限遠撮影を可能にしている。
【００２６】
次に、レンズ駆動装置１０１の各構成部材に関して、図面を用いて詳細に説明する。先ず、レンズ駆動装置１０１のレンズバレル１１について説明する。図４は、レンズバレル１１を説明する図であって、図４（ａ）は、レンズＲＮＺが保持されたレンズバレル１１の斜視図であり、図４（ｂ）は、図４（ａ）に示すＸ１側から見たレンズバレル１１の側面図である。図５は、本発明の第１実施形態のレンズ駆動装置１０１を説明する図であって、図５（ａ）は、図３（ａ）に示すＩＶ−ＩＶ線における断面図であり、図５（ｂ）は、図３（ａ）に示すＶ−Ｖ線における断面図である。
【００２７】
レンズ駆動装置１０１のレンズバレル１１は、ポリアミド樹脂（ＰＡ、polyamide）等の合成樹脂を用いて射出成形して作製されており、図４に示すように、円筒形状を有している。そして、レンズバレル１１の円筒の中には、図５に示すように、レンズＲＮＺが収容されている。なお、図５には、断面形状の異なる大小のレンズＲＮＺが５つ示されているが、形状や個数ついてはこれに限るものではない。
【００２８】
また、レンズバレル１１の下部側には、図４に示すように、レンズバレル１１の外周から光軸方向ＪＤと交差する交差方向（図４ではＸＹ平面方向）に向けて突出した突部１１ｔが全周に亘って設けられており、レンズ駆動装置１０１が組み立てられた際には、図５に示すように、この突部１１ｔがレンズ保持部材１２の筒部１２ｓ（具体的には後述する下端部１２ｕ）と対向して配置される。これにより、落下等で強い衝撃がレンズバレル１１の上方側（図５に示すＺ１方向側）に向けて加わった場合であっても、突部１１ｔと下端部１２ｕとが当接可能なので、レンズバレル１１が上方に外れる可能性を無くすことができる。なお、本発明の第１実施形態では、突部１１ｔを段差形状にして全周に亘って設ける構成としたが、これに限るものではなく、例えば一部が外周から突出していても良い。その際には、少なくとも１ヶ所、好ましくは２ヶ所以上設けられているのが良い。
【００２９】
また、図４に示すように、レンズバレル１１の外周面１１ｐには、全周に亘って光軸方向ＪＤと交差する方向に溝部１１ｕが形成されており、接着剤が塗布された際には、この溝部１１ｕには、接着剤が収容されて充填されるようになる。これにより、レンズ保持部材１２の筒部１２ｓ（具体的には後述する傾斜部９２）とレンズバレル１１の外周面１１ｐとで形成される接着剤の充填領域を多く確保することができる。このことにより、レンズ保持部材１２とレンズバレル１１間の接着強度を高めることができ、落下等で強い衝撃がレンズ駆動装置１０１に加わった場合であっても、レンズバレル１１をレンズ保持部材１２に確実に保持することができる。
【００３０】
次に、レンズ駆動装置１０１のレンズ保持部材１２について説明する。図６（ａ）は、図１に示すＺ１側から見たレンズ保持部材１２の上方斜視図であり、図６（ｂ）は、図１に示すＺ２側から見たレンズ保持部材１２の下方斜視図である。図７は、レンズ保持部材１２にコイル３３が巻かれた状態を示した斜視図である。図８は、図５（ａ）に示すＰ部分の拡大断面図である。なお、図８では、説明を分かり易くするため、接着剤層ＡＤを模式的に示している。
【００３１】
レンズ駆動装置１０１のレンズ保持部材１２は、液晶ポリマー（ＬＣＰ、Liquid Crystal Polymer）等の合成樹脂を用いて射出成形して作製されており、図６に示すように、筒状に形成されており、円形の外周面１２ｍ及び内周面１２ｑを有する筒部１２ｓと、筒部１２ｓの下端の外周面１２ｍから径方向外側に突出した鍔部１２ｖと、から構成されている。そして、この筒部１２ｓには、レンズバレル１１がレンズ保持部材１２の下方側から挿通されて、接着剤により、レンズバレル１１がレンズ保持部材１２に保持される。
【００３２】
レンズ保持部材１２の筒部１２ｓには、図６（ａ）に示すように、その上部に位置する上端側に凹状の窪みを有した台座部１２ｄが対向して２箇所に設けられている（図６（ａ）に示すＹ方向の２箇所）。この台座部１２ｄには、図５（ａ）に示すように、支持部材６である上側板ばね１６の一方側の部分（具体的には後述する第１部分１６ａ）が載置される。また、図６（ｂ）に示すように、筒部１２ｓの下部に位置する下端部１２ｕは、平面となっており、レンズバレル１１がレンズ保持部材１２の下方側から挿通された際には、下端部１２ｕとレンズバレル１１の突部１１ｔとが当接可能に対向するようになる。これにより、前述したように、落下等で強い衝撃がレンズバレル１１の上方側に向けて加わった場合であっても、下端部１２ｕと突部１１ｔとが当接可能なので、レンズバレル１１が上方に外れる可能性を無くすことができる。なお、本発明の第１実施形態では、下端部１２ｕを一様な平面形状にして全周に亘って設ける構成としたが、これに限るものではなく、例えば下端部１２ｕの一部が下方に向けて突出しており、その突出した部分がレンズバレル１１の突部１１ｔと対向するよう構成しても良い。その際には、少なくとも１ヶ所、好ましくは２ヶ所以上設けられているのが良い。
【００３３】
筒部１２ｓの外周面１２ｍには、図６に示すように、コイル３３を内側から支持するコイル支持部１２ｊが均等に８箇所設けられているとともに、このコイル支持部１２ｊの上端側には、鍔部１２ｖと対向して径方向外側に突出した庇部１２ｈが４箇所形成されている。そして、図７に示すように、コイル３３がコイル支持部１２ｊに支持され庇部１２ｈ及び鍔部１２ｖに挟まれるようにして、レンズ保持部材１２の外周面１２ｍ側に８角形状で巻かれている。
【００３４】
筒部１２ｓの内周面１２ｑには、図８に示すように、レンズバレル１１との隙間が一定の位置決め部５２と、位置決め部５２の上側に位置し上方に向かうにしたがって位置決め部５２よりもレンズバレル１１との隙間が大きくなる傾斜部９２と、が設けられている。そして、レンズバレル１１がレンズ保持部材１２に保持された際に、この傾斜部９２とレンズバレル１１との隙間に確実にかつ充分に接着剤が充填され、接着剤によってレンズバレル１１がレンズ保持部材１２に固定されるようになる。これにより、レンズ保持部材１２とレンズバレル１１間の接着強度を高めることができる。このことにより、落下等で強い衝撃がレンズ駆動装置１０１に加わった場合であっても、レンズバレル１１を確実に保持することができる。
【００３５】
また、レンズバレル１１の材質がポリアミド樹脂（ＰＡ）でレンズ保持部材１２の材質が液晶ポリマー（ＬＣＰ）の場合、ポリアミド樹脂（ＰＡ）の方が一般に接着性が良いので、接着性が劣る液晶ポリマー（ＬＣＰ）のレンズ保持部材１２の方に傾斜部９２を設けるように構成した。これにより、レンズ保持部材１２の方の接着面積を広くすることができ、レンズ保持部材１２の方の接着強度を高められるので、レンズ保持部材１２とレンズバレル１１間の接着を強くすることができる。
【００３６】
更に、本発明の第１実施形態では、図８に示すように、位置決め部５２と傾斜部９２との境界部（図８に示すＫＰ）が、筒部１２ｓの光軸方向ＪＤにおける中間位置よりも下側に位置している。言い換えると、境界部が筒部１２ｓの内周面１２ｑの上下方向（図８に示すＺ方向）における中間位置よりも下側に位置している。これにより、傾斜部９２とレンズバレル１１とで形成される接着剤の充填領域をより多く確保することができ、レンズ保持部材１２とレンズバレル１１間の接着強度をより高めることができる。また、前述したレンズバレル１１の外周面１１ｐに形成された溝部１１ｕが、この傾斜部９２と対向している位置に設けられているので、溝部１１ｕに確実にかつ充分に接着剤が充填される。
【００３７】
また、レンズバレル１１がレンズ保持部材１２に保持された際に、傾斜部９２は、図８に示すように、縦断面視して、光軸方向ＪＤに沿った直線とのなす角である傾斜角が異なる２つの第１傾斜部９２ａと第２傾斜部９２ｂとを有しており、第２傾斜部９２ｂの傾斜角の方が第１傾斜部９２ａの傾斜角より大きくなっている。なお、本発明の第１実施形態では、レンズバレル１１の外周が光軸方向ＪＤに沿った直線と一致しているので、レンズバレル１１の外周とのなす角が傾斜角とも云える。
【００３８】
また、この傾斜角が大きい第２傾斜部９２ｂが第１傾斜部９２ａよりレンズ保持部材１２の内周面１２ｑの上方側に配設されており、この第２傾斜部９２ｂ側から接着剤を充填し易くなっていて、第２傾斜部９２ｂ及び第１傾斜部９２ａとレンズバレル１１との間に接着剤が確実にかつ充分に充填されている。これにより、第２傾斜部９２ｂ側に広がった接着剤層ＡＤを形成することができ、レンズ保持部材１２とレンズバレル１１間の接着強度をより一層高めることができる。特に、接着剤層ＡＤの断面形状が上方に広がったくさび形状となっているので、下方に向けた強い力が加わった場合には、下方にレンズバレル１１が抜け難い構成となっている。
【００３９】
レンズ保持部材１２の鍔部１２ｖには、図６（ｂ）に示すように、その底面から下方に突出した角形凸状の絡げ部１２ｋが２ヶ所、丸形凸状の突設部１２ｔが４箇所設けられている。この絡げ部１２ｋには、コイル３３の巻始め及び巻終わりに対応して、コイル３３の導線の両端側が絡げられている。また、この突設部１２ｔには、支持部材６である下側板ばね２６Ａ及び下側板ばね２６Ｂの一方側の部分（具体的には後述する第３部分２６ｃ）が固定される。
【００４０】
次に、レンズ駆動装置１０１の駆動機構Ｍ３について説明する。図９（ａ）は、図１に示すＺ１側から見た駆動機構Ｍ３におけるヨーク３４の上方斜視図であり、図９（ｂ）は、図１に示すＺ２側から見たヨーク３４の下方斜視図である。図１０は、図２（ａ）に示すレンズバレル１１及びヨーク３４（駆動機構Ｍ３）を省略したレンズ駆動装置１０１の斜視図である。
【００４１】
レンズ駆動装置１０１の駆動機構Ｍ３は、前述したように、８角形の環状に巻かれたコイル３３と、外側ケースを兼ねた矩形状で箱状のヨーク３４と、コイル３３の四辺と対向して配設された４つの磁石３５と、を備えて構成される。そして、駆動機構Ｍ３は、コイル３３に流れる電流と磁石３５から発生する磁気とで磁気回路を構成し、レンズ保持部材１２を光軸方向ＪＤに沿って上下に移動させている。
【００４２】
先ず、駆動機構Ｍ３のコイル３３は、図１及び図７に示すように、環状形状で８角形の角度を有して導線を巻回して形成されている。なお、図１及び図７では、導線は絶縁部材で表面を被覆していることもあり、導線の詳細な巻回状態を省略して示している。また、コイル３３は、図７に示すように、レンズ保持部材１２の筒部１２ｓの周囲を囲む位置に配設され、コイル支持部１２ｊ（図６を参照）により内側から支持された状態で、コイル３３の一部が庇部１２ｈと鍔部１２ｖに挟まれるようにして、鍔部１２ｖの上面に固定されている。そして、コイル３３の内周面３３ｕがコイル支持部１２ｊにより等方的にバランス良く支持されるため、コイル３３の中心軸とレンズ保持部材１２の中心軸とが一致した状態でレンズ保持部材１２に保持される。これにより、レンズ保持部材１２に保持されたレンズバレル１１のレンズＲＮＺの光軸とレンズ保持部材１２の中心軸とを容易に一致させ易くなる。
【００４３】
次に、駆動機構Ｍ３のヨーク３４は、鉄等の軟磁性体材料の板材に抜き加工や絞り加工を施して作製しており、図９に示すように、外形が収容部３４ｓを有した箱状に形成されている。そして、ヨーク３４は、外側の環状の外ヨーク３４Ａと、外ヨーク３４Ａの上端（図９に示すＺ１側）と連続して設けられた平板状の上面部３４Ｂと、上面部３４Ｂの一部から下方（図９に示すＺ２方向）に延設された４つの内ヨーク３４Ｃと、を有して構成されている。また、内ヨーク３４Ｃが形成された四隅には、上面部３４Ｂより下方に位置する段差部３４Ｄが設けられている。このように構成されたヨーク３４は、図２（ａ）に示すように、レンズ保持部材１２及びコイル３３（図示していない）を収容部３４ｓに収容するとともに覆うようにして、ベース部材１８に係合されて、ベース部材１８とともに外形を構成している。
【００４４】
ヨーク３４の外ヨーク３４Ａは、図３（ａ）に示すように、平面視して、矩形状をしている。また、ヨーク３４の内ヨーク３４Ｃは、図３（ａ）に示すように、平面視して、円弧状に形成され、外ヨーク３４Ａの４つの角部に対向するように、等間隔で配設されている。また、詳細な図示はしていないが、レンズ駆動装置１０１が組み立てられた際に、内ヨーク３４Ｃのそれぞれは、レンズ保持部材１２の筒部１２ｓの外周に沿って配設されるとともに、コイル３３の内周面３３ｕと対向して配設される。更に、内ヨーク３４Ｃのそれぞれは、コイル３３を挟んで、磁石３５のそれぞれと対向する位置に配設されている。なお、ヨーク３４を絞り加工で作製する際には、ヨーク３４の内ヨーク３４Ｃが円弧状であるので、容易に絞り加工を行うことができる。このため、ヨーク３４の内ヨーク３４Ｃの形状及び配設の位置の精度を高めることができる。
【００４５】
最後に、駆動機構Ｍ３の磁石３５は、図１に示すように、断面形状が台形形状で、平板状の外形をしており、４つの磁石３５が、コイル３３の外側に位置するとともに、ヨーク３４の四隅に等分に配設されている。また、磁石３５の台形形状における傾斜する２つの外側面は、外ヨーク３４Ａに沿った形状をしている。このため、レンズ駆動装置１０１を組み立てる際に、この２つの外側面を外ヨーク３４Ａに押しあてて配置することができ、磁石３５の位置決めを容易に行うことができる。そして、図５（ｂ）に示すように、磁石３５は、ヨーク３４の段差部３４Ｄとの間に支持部材６（上側板ばね１６）の一部を挟持するようにして、接着剤により、ヨーク３４に固定されている。
【００４６】
次に、レンズ駆動装置１０１の支持部材６について説明する。図１１は、支持部材６を説明する図であって、図１１（ａ）は、支持部材６である上側板ばね１６の上面図であり、図１１（ｂ）は、支持部材６である下側板ばね２６Ａ及び下側板ばね２６Ｂの上面図である。
【００４７】
レンズ駆動装置１０１の支持部材６は、銅合金を主な材質とした金属板から作製されており、図１０に示すように、レンズ保持部材１２とヨーク３４との間に配設される上側板ばね１６と、レンズ保持部材１２とベース部材１８との間に配設される２つの下側板ばね（２６Ａ、２６Ｂ）と、から構成されている。そして、レンズ保持部材１２と支持部材６のそれぞれ（上側板ばね１６、下側板ばね２６Ａ、下側板ばね２６Ｂ）が係合されて、レンズ保持部材１２が光軸方向ＪＤ（図２に示すＺ方向）へ移動可能になるように、レンズ保持部材１２を空中で支持している。なお、下側板ばね２６Ａ及び下側板ばね２６Ｂは、コイル３３の両端側とそれぞれ電気的に接続されているので、コイル３３への給電部材としても用いられる。
【００４８】
先ず、支持部材６の上側板ばね１６は、図１１（ａ）に示すように、略矩形状をしており、レンズ保持部材１２に固定される２箇所の第１部分１６ａと、ヨーク３４と磁石３５とで挟持されて固定される４箇所の第２部分１６ｂと、第１部分１６ａと第２部分１６ｂとの間に位置する４箇所の弾性腕部１６ｇと、４箇所の第２部分１６ｂ同士を繋ぐ桟部１６ｒと、を有して構成されている。
【００４９】
そして、上側板ばね１６がレンズ駆動装置１０１に組み込まれた際には、図１０に示すように、第１部分１６ａがレンズ保持部材１２の台座部１２ｄに載置され、第１部分１６ａと台座部１２ｄとを接着剤で固定することにより、上側板ばね１６の一方側がレンズ保持部材１２に固定されるようになる。また、図５（ｂ）に示すように、第２部分１６ｂが磁石３５の上面と当接し、ヨーク３４との間に挟持されて、上側板ばね１６の他方側が固定されるようになる。
【００５０】
また、上側板ばね１６は、図１１（ａ）に示すように、ほぼ線対称の形状に構成しており、第１部分１６ａの２箇所の均等な位置でレンズ保持部材１２に固定されているとともに、ベース部材１８と一体化されたヨーク３４に対して第２部分１６ｂの４箇所の均等な位置で固定されている。これにより、上側板ばね１６は、レンズ保持部材１２をバランス良く空中で支持することができる。
【００５１】
支持部材６の下側板ばね（１６Ａ、１６Ｂ）は、図１１（ｂ）に示すように、それぞれの内側形状が半円形状をしており、レンズ保持部材１２と係合される４箇所の第３部分２６ｃと、ベース部材１８と係合される４箇所の第４部分２６ｄと、第３部分２６ｃと第４部分２６ｄとの間に位置する４箇所の弾性腕部２６ｇと、２箇所の第３部分２６ｃを繋ぐ２つの第１連結部２６ｐと、２箇所の第４部分２６ｄを繋ぐ２つの第２連結部２６ｑと、を有して構成されている。
【００５２】
そして、この下側板ばね（２６Ａ、２６Ｂ）がレンズ駆動装置１０１に組み込まれた際には、図６（ｂ）に示すレンズ保持部材１２の４つの突設部１２ｔが、図１１（ｂ）に示す下側板ばね（２６Ａ、２６Ｂ）の第３部分２６ｃに設けられた貫通孔２６ｋに挿通されて嵌合される。これにより、下側板ばね２６Ａ及び下側板ばね２６Ｂの一方側がレンズ保持部材１２に位置決めされるとともに、レンズ保持部材１２に固定される。なお、この際には、レンズ保持部材１２の突設部１２ｔに熱かしめを施して、より確実に下側板ばね２６Ａ及び下側板ばね２６Ｂをレンズ保持部材１２に固定している。
【００５３】
一方、下側板ばね（２６Ａ、２６Ｂ）の第４部分２６ｄに設けられた貫通孔２６ｍ（図１１（ｂ）を参照）に、後述するベース部材１８の上面に設けられた突設部１８ｔに挿通されて嵌合される。これにより、下側板ばね２６Ａ及び下側板ばね２６Ｂの他方側がベース部材１８に位置決めされるとともに、ベース部材１８に固定される。
【００５４】
また、下側板ばね２６Ａと下側板ばね２６Ｂとは、図１１（ｂ）に示すように、ほぼ線対称の形状に構成しており、レンズ保持部材１２に対して第３部分２６ｃの４箇所の均等な位置で接続されているとともに、ベース部材１８に対して第４部分２６ｄの４箇所の均等な位置で接続されている。これにより、レンズ保持部材１２をバランス良く空中で支持することができる。従って、以上のように構成された支持部材６（上側板ばね１６、下側板ばね２６Ａ及び下側板ばね２６Ｂ）により、レンズ保持部材１２を光軸方向ＪＤへ移動可能に支持している。
【００５５】
最後に、レンズ駆動装置１０１の固定機構Ｒ８について説明する。図１２（ａ）は、固定機構Ｒ８のベース部材１８の斜視図であり、図１２（ｂ）は、ベース部材１８に下側板ばね２６Ａ及び下側板ばね２６Ｂを組み付けた斜視図である。
【００５６】
レンズ駆動装置１０１の固定機構Ｒ８は、上側板ばね１６の他方側である第２部分１６ｂを固定するヨーク３４（磁石３５も含む）と、下側板ばね（２６Ａ、２６Ｂ）の他方側である第４部分２６ｄを固定するベース部材１８と、を有して構成されている。ここでは、上側板ばね１６の固定機構Ｒ８については、駆動機構Ｍ３でもあるヨーク３４の項目で前述したので説明を省略し、下側板ばね（２６Ａ、２６Ｂ）の固定機構Ｒ８についてのみ説明する。
【００５７】
固定機構Ｒ８のベース部材１８は、液晶ポリマー（ＬＣＰ）等の合成樹脂を用いて射出成形して作製されており、図１及び図１２に示すように、外形が矩形の板状形状で構成され、中央に円形の開口１８ｋが形成されている。また、ベース部材１８の上面には、上方に向けて突出する４つの突設部１８ｔが四隅に設けられている。そして、下側板ばね（２６Ａ、２６Ｂ）の第４部分２６ｄに設けられた貫通孔２６ｍ（図１１（ｂ）を参照）に、ベース部材１８の上面に設けられた突設部１８ｔが挿通されて、貫通孔２６ｍと突設部１８ｔとが嵌合される。なお、この際には、ベース部材１８の突設部１８ｔに熱かしめを施して、より確実に下側板ばね２６Ａ及び下側板ばね２６Ｂをベース部材１８に固定している。
【００５８】
ベース部材１８には、図５（ｂ）に示すように、銅や鉄若しくはそれらを主成分とした合金等の材質を用いた金属板からなる端子７が、インサート成形されて埋め込まれている。そして、電気的に絶縁された２つの端子７（端子７Ａ及び端子７Ｂ）のそれぞれは、図示していない撮像素子を実装した基板と電気的に接続され、この２つの端子７から電力を供給できるようになっている。そして、端子７の一方の端子７Ａは、下側板ばね２６Ａと電気的に接続されるとともに、端子７の他方の端子７Ｂは、下側板ばね２６Ｂと電気的に接続されており、この端子７Ａ及び端子７Ｂから、下側板ばね２６Ａ及び下側板ばね２６Ｂを介して、コイル３３に電流を流すことができる。
【００５９】
また、ベース部材１８には、図５に示すように、銅や鉄若しくはそれらを主成分とした合金等の材質を用いた金属板からなる接続部材５７が、端子７と同様に、インサート成形されて埋め込まれており、接続部材５７の一部は、図３に示すように、ヨーク３４の四隅に一部を露出している。そして、ヨーク３４の外ヨーク３４Ａの内壁とベース部材１８の外周側面が組み合わさって位置決めされた後に、ベース部材１８の接続部材５７とヨーク３４の四隅とのつなぎ目部分を４箇所溶接して、ヨーク３４をベース部材１８に固定している。
【００６０】
以上のように構成された本発明の第１実施形態のレンズ駆動装置１０１における、効果について、以下に纏めて説明する。
【００６１】
本発明の第１実施形態のレンズ駆動装置１０１は、レンズ保持部材１２とレンズバレル１１との間に隙間が生じるように、レンズ保持部材１２の筒部１２ｓの内周面１２ｑに位置決め部５２と傾斜部９２とを設けたので、レンズ保持部材１２とレンズバレル１１との隙間に確実にかつ充分に接着剤を充填させることができる。このため、レンズ保持部材１２とレンズバレル１１間の接着強度を高めることができる。このことにより、落下等で強い衝撃がレンズ駆動装置１０１に加わった場合であっても、レンズバレル１１を確実に保持することができる。
【００６２】
また、位置決め部５２と傾斜部９２との境界部が筒部１２ｓの光軸方向ＪＤにおける中間位置よりも下側に位置しているので、傾斜部９２とレンズバレル１１とで形成される接着剤の充填領域をより多く確保することができる。このことにより、レンズ保持部材１２とレンズバレル１１間の接着強度をより高めることができ、落下等で強い衝撃がレンズ駆動装置１０１に加わった場合であっても、レンズバレル１１をより確実に保持することができる。
【００６３】
また、傾斜部９２が、第１傾斜部９２ａと、第１傾斜部９２ａの傾斜角より大きい第２傾斜部９２ｂと、を有しており、第２傾斜部９２ｂに接着剤が充填されているので、傾斜部９２とレンズバレル１１とで形成される接着剤の充填領域をより一層多く確保することができるとともに、特に、第２傾斜部９２ｂ側に広がった接着剤層ＡＤを形成することができる。このため、レンズ保持部材１２とレンズバレル１１間の接着強度をより一層高めることができるとともに、特に、接着剤層ＡＤがくさびとなり、レンズバレル１１を下方側に抜け難くすることができる。このことにより、落下等で強い衝撃がレンズ駆動装置１０１に加わった場合であっても、レンズバレル１１をより一層確実に保持することができる。
【００６４】
また、レンズバレル１１の下部には、光軸方向ＪＤと交差する外周側に突出した突部１１ｔが設けられ、突部１１ｔがレンズ保持部材１２の筒部１２ｓの下端部１２ｕと対向して配置されているので、落下等で強い衝撃がレンズバレル１１の上方側に向けて加わった場合であっても、突部１１ｔと下端部１２ｕとが当接可能なので、レンズバレル１１が上方に外れる可能性を無くすことができる。
【００６５】
また、レンズバレル１１の外周面１１ｐに溝部１１ｕが形成されているので、この溝部１１ｕに接着剤が充填されるようになり、レンズバレル１１の外周面１１ｐとレンズ保持部材１２の傾斜部９２とで形成される接着剤の充填領域をより一層多く確保することができる。このことにより、レンズバレル１１とレンズ保持部材１２との間の接着強度をより一層高めることができ、落下等で強い衝撃がレンズ駆動装置１０１に加わった場合であっても、レンズバレル１１をレンズ保持部材１２により一層確実に保持することができる。
【００６６】
なお、本発明は上記実施形態に限定されるものではなく、例えば次のように変形して実施することができ、これらの実施形態も本発明の技術的範囲に属する。
【００６７】
＜変形例１＞＜変形例２＞
図１３は、変形例１を説明するレンズ保持部材Ｃ１２の斜視図である。上記第１実施形態では、レンズ保持部材１２の筒部１２ｓの内周面１２ｑの全周に亘って第１傾斜部９２ａ及び第２傾斜部９２ｂを設けるように好適に構成したが、これに限るものではない。例えば、図１３に示すように、レンズ保持部材１２の内周面１２ｑの一部にのみ、第２傾斜部Ｃ９２ｂを設けるように構成しても良い。また、図示はしていないが、第１傾斜部のみが形成された傾斜部であっても良い（変形例２）。
【００６８】
＜変形例３＞
上記第１実施形態では、レンズバレル１１の溝部１１ｕが外周面１１ｐを一周する形で形成されていたが、これに限るものではなく、例えばリング状で複数有した形状でも良いし、スパイラル形状でも良い。また、光軸方向ＪＤと交差する方向ではなく、光軸方向ＪＤに沿った縦溝であっても良い。
【００６９】
本発明は上記実施の形態に限定されず、本発明の目的の範囲を逸脱しない限りにおいて適宜変更することが可能である。
【符号の説明】
【００７０】
１１    レンズバレル
１１ｐ  外周面
１１ｔ  突部
１１ｕ  溝部
１２、Ｃ１２  レンズ保持部材
１２ｑ  内周面
１２ｓ  筒部
１２ｕ  下端部
５２    位置決め部
９２    傾斜部
９２ａ  第１傾斜部
９２ｂ、Ｃ９２ｂ  第２傾斜部
Ｍ３    駆動機構
６      支持部材
Ｒ８    固定機構
ＲＮＺ  レンズ
ＪＤ    光軸方向
１０１  レンズ駆動装置
【図１】
2018139006.tif 000003
【図２】
2018139006.tif 000004
【図３】
2018139006.tif 000005
【図４】
2018139006.tif 000006
【図５】
2018139006.tif 000007
【図６】
2018139006.tif 000008
【図７】
2018139006.tif 000009
【図８】
2018139006.tif 000010
【図９】
2018139006.tif 000011
【図１０】
2018139006.tif 000012
【図１１】
2018139006.tif 000013
【図１２】
2018139006.tif 000014
【図１３】
2018139006.tif 000015
【図１４】
2018139006.tif 000016
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
レンズが設けられたレンズバレルを保持可能な筒状のレンズ保持部材と、
該レンズ保持部材を光軸方向へ移動可能に支持する支持部材と、
前記レンズ保持部材を前記光軸方向に沿って上下に移動させる駆動機構と、を備えたレンズ駆動装置において、
前記レンズバレルが挿通される前記レンズ保持部材の筒部の内周面には、前記レンズバレルとの隙間が一定の位置決め部と、前記位置決め部の上側に位置し上方に向かうにしたがって前記位置決め部よりも前記レンズバレルとの隙間が大きくなる傾斜部と、が設けられ、
前記レンズ保持部材を上方側から見た上面視において、前記傾斜部が露出しており、
少なくとも前記傾斜部と前記レンズバレルとの間に接着剤が充填され、当該接着剤によって前記レンズバレルが前記レンズ保持部材に固定されていることを特徴とするレンズ駆動装置。
【請求項２】
前記レンズ保持部材は、前記傾斜部の上側に前記傾斜部と隣接する部分を有し、
前記隣接する部分の径は、前記傾斜部の径以上であることを特徴とする請求項１に記載のレンズ駆動装置。
【請求項３】
前記位置決め部と前記傾斜部との境界部が前記筒部の前記光軸方向における中間位置よりも下側に位置していることを特徴とする請求項１または請求項２に記載のレンズ駆動装置。
【請求項４】
前記傾斜部は、前記光軸方向に沿った直線とのなす角である傾斜角が異なる第１傾斜部と第２傾斜部とを有し、
前記第２傾斜部の前記傾斜角が前記第１傾斜部の前記傾斜角より大きく、
前記第２傾斜部は、前記第１傾斜部より前記レンズ保持部材の上方側に配設され、
前記第２傾斜部及び前記第１傾斜部と前記レンズバレルとの間に前記接着剤が充填されていることを特徴とする請求項１ないし請求項３のいずれかに記載のレンズ駆動装置。
【請求項５】
前記レンズバレルの下部側には、前記光軸方向と交差する方向に向けて外周から突出した突部が設けられ、
当該レンズバレルが前記レンズ保持部材の前記筒部に下方側から挿通されて、前記突部が前記筒部の下端部と対向して配置されていることを特徴とする請求項１ないし請求項４のいずれかに記載のレンズ駆動装置。
【請求項６】
前記レンズバレルの外周面に、前記接着剤を収容可能な溝部が形成されていることを特徴とする請求項１ないし請求項５のいずれかに記載のレンズ駆動装置。
【手続補正２】
【補正対象書類名】明細書
【補正対象項目名】０００９
【補正方法】変更
【補正の内容】
【０００９】
この課題を解決するために、本発明のレンズ駆動装置は、レンズが設けられたレンズバレルを保持可能な筒状のレンズ保持部材と、該レンズ保持部材を光軸方向へ移動可能に支持する支持部材と、前記レンズ保持部材を前記光軸方向に沿って上下に移動させる駆動機構と、を備えたレンズ駆動装置において、前記レンズバレルが挿通される前記レンズ保持部材の筒部の内周面には、前記レンズバレルとの隙間が一定の位置決め部と、前記位置決め部の上側に位置し上方に向かうにしたがって前記位置決め部よりも前記レンズバレルとの隙間が大きくなる傾斜部と、が設けられ、前記レンズ保持部材を上方側から見た上面視において、前記傾斜部が露出しており、少なくとも前記傾斜部と前記レンズバレルとの間に接着剤が充填され、当該接着剤によって前記レンズバレルが前記レンズ保持部材に固定されていることを特徴としている。この場合において、前記レンズ保持部材は、前記傾斜部の上側に前記傾斜部と隣接する部分を有し、前記隣接する部分の径は、前記傾斜部の径以上であることが好ましい。